(57)【特許請求の範囲】
【請求項１】
装置本体に、搬送手段で搬送されるフィルムを現像処理する現像処理部と、現像処理部の下流側に隣接し、フィルムを乾燥する乾燥処理部とを備え、搬送手段はスプロケットを複数備える一方、フィルム側に、スプロケットの歯に噛み合う複数の送り孔を有する送り機構を設けて、送り機構を介してフィルムを搬送手段で搬送しながら現像および乾燥処理を行うようにしたフィルム処理装置であって、
搬送手段は、スプロケットを駆動させる複数の駆動ギア機構と、各駆動ギア機構に噛み合い、かつ、１本のシャフトに同期回転可能に取り付けられる複数のウォームギアとを有し、
ウォームギアをシャフトに対し軸方向に移動可能に取り付けるとともに、所定の隣合うウォームギアの間の距離を調整する距離調整手段を設けて、ウォームギアの間の距離を調整して駆動ギア機構の回転に伴うスプロケットの歯の回転タイミングを調整する回転タイミング調整機構を構成していることを特徴とするフィルム処理装置。
【請求項２】
回転タイミング調整機構の距離調整手段は、シャフトにおける距離調整を行うウォームギアの間に軸方向移動可能に嵌合され、軸方向に所定長さを有する筒状スペーサー部と、スペーサー部の外面に形成されるネジ山部に螺合されるナットを備えている請求項１に記載のフィルム処理装置。
【請求項３】
搬送手段の駆動ギア機構は、
現像処理部に設けるスプロケットを駆動させる現像処理部用駆動ギア機構と、乾燥処理部に設けるスプロケットを駆動させる乾燥処理部用駆動ギア機構とから構成され、
回転タイミング調整機構は、
現像処理部用駆動ギア機構に噛み合う現像処理部側ウォームギアと、乾燥処理部用駆動ギア機構と噛み合う乾燥処理部側ウォームギアとの間の距離を調整して乾燥処理部用駆動ギア機構の回転に伴うスプロケットの歯の回転タイミングを調整するようにしていることを特徴とする請求項１または請求項２に記載のフィルム処理装置。
【請求項４】
送り機構が、フィルムの長さ方向先端部が取り付けられるフィルムリーダーにより構成されている請求項１から請求項３の何れかに記載のフィルム処理装置。
【発明の詳細な説明】
【０００１】
【発明の属する技術分野】
本発明は、装置本体に、搬送手段で搬送されるフィルムを現像処理する現像処理部と、現像処理部の下流側に隣接し、フィルムを乾燥する乾燥処理部とを備え、搬送手段はスプロケットを複数備える一方、フィルム側に、スプロケットの歯に噛み合う複数の送り孔を有する送り機構を設けて、送り機構を介してフィルムを搬送手段で搬送しながら現像および乾燥処理を行うようにしたフィルム処理装置に関する。
【０００２】
【従来の技術】
一般にこの種のフィルム処理装置は、例えば図６に概略的に示すように、装置本体のハウジングＡ内に、処理液槽Ｃを備えた現像処理部Ｂとこの現像処理部Ｂの下流側に隣接する乾燥処理部Ｄとを設けて、乾燥処理部Ｄにおいて、現像処理された感光材料を熱風により乾燥処理するようにしている。
【０００３】
また、一般にフィルム処理装置では、フィルムを搬送手段で搬送するようにしており、搬送手段は複数のスプロケットＥを備えている。一方、スプロケットＥの歯が噛み合う複数の送り孔が設けられたフィルムリーダーを別途形成して、このフィルムリーダーに、フィルムの先端部を取り付けるようにしている。そして、フィルム処理装置では、フィルムリーダーの送り孔をスプロケットＥの歯に噛み合わせながらスプロケットＥを回転駆動させることにより、フィルムリーダーが搬送され、このフィルムリーダーの搬送に伴ってフィルムが搬送されるようになっている。
【０００４】
ところで、通常、搬送手段のスプロケットＥは、ハウジングＡに対して取り付け取り外しができる搬送ラックに組み込まれている。
【０００５】
搬送ラックは、現像処理部Ｂの各処理液槽Ｃ内に配設される処理液側搬送ラックＦと乾燥処理部Ｄに設けられる乾燥側搬送ラックＧとから構成されている。
【０００６】
また、処理液側搬送ラックＦおよび乾燥側搬送ラックＧのスプロケットＥを回転駆動させるには、図７に示すように、１本の駆動用シャフトＬに複数のウォームギアＭを設けるとともに、スプロケットＥに回転を伝達するための複数の駆動ギア機構Ｋを設け、駆動ギア機構Ｋにおける入力側ギア部Ｋ２をそれぞれに対応したウォームギアＭに噛み合わせ、シャフトＬの回転駆動でウォームギアＭから駆動ギア機構Ｋに回転が伝達されてスプロケットＥが回転駆動するようになっている。
【０００７】
また、駆動ギア機構Ｋのうち乾燥側搬送ラックＧのスプロケットＥを駆動させる駆動ギア機構Ｋは、図７に示すように、ハウジングＡ内に設ける固定用軸Ｊに接続される金属製の支持軸Ｋ１と、シャフトＬのウォームギアＭに噛み合う入力側ギア部Ｋ２と、乾燥側搬送ラックＧのスプロケットＥに回転を伝達させるための伝達用ギアＰ１，Ｐ２に噛み合う出力側ギア部Ｋ３とを備えている。
【０００８】
さらに、入力側ギア部Ｋ２は、合成樹脂製の長尺筒状部材Ｋ４の軸方向一端側に形成され、この長尺筒状部材Ｋ４を支持軸Ｋ１に遊嵌している。そして、長尺筒状部材Ｋ４の他端側外周にネジ止めの際の補強用の筒状金属部材Ｋ５を固定しておいて、この筒状金属部材Ｋ５にリング状の出力側ギア部Ｋ３を嵌合し、ネジＮで筒状金属部材Ｋ５に出力側ギア部Ｋ３を一体に固定にすることにより、入力側ギア部Ｋ２の回転駆動に伴って出力側ギア部Ｋ３が同期回転するようになっている。
【０００９】
ところで、以上のフィルム処理装置では、処理液側搬送ラックＦを各処理液槽Ｃ内に配設し、乾燥側搬送ラックＧをハウジングＡにおける乾燥処理部Ｄに配設するようになっているため、それぞれの搬送ラック間の間隔が広くなるとスプロケットＥの歯の回転タイミングがズレてしまうおそれがある。
【００１０】
具体的には、スプロケットＥの歯の回転タイミングは、処理液側搬送ラックＦについてはそれぞれのラックが近接して配設されていることからスプロケットＥの歯の回転タイミングのズレはあまり生じないが、最下流に配設される処理液側搬送ラックＦと乾燥側搬送ラックＧとの間には通常スクイズローラーＮが配設されることから、処理液側搬送ラックＦと乾燥側搬送ラックＧとの距離が離れ、処理液側搬送ラックＦと乾燥側搬送ラックＧをハウジングＡに設置したときに、処理液側搬送ラックＦのスプロケットＥの歯と乾燥側搬送ラックＧのスプロケットＥの歯の回転タイミングがズレてしまう場合が多い。
【００１１】
そして、スプロケットＥの歯の回転タイミングがズレてしまうと、現像処理部Ｂから乾燥処理部Ｄにフィルムリーダーが搬送される際、フィルムリーダーの送り孔に乾燥処理部ＤのスプロケットＥの歯が噛みあわないこととなり、フィルムの搬送が行えなくなる。
【００１２】
そこで、このような場合には、フィルムの現像処理を行う前に、現像処理部Ｂから乾燥処理部Ｄにフィルムリーダーが移る際の乾燥処理部ＤのスプロケットＥの歯とフィルムリーダーの送り孔との噛み合いタイミングを合わすように調整する必要があり、従来では、図７に示すように、乾燥側搬送ラックＧの駆動ギア機構ＫのネジＮを緩めて、入力側ギア部Ｋ２に対し、出力側ギア部Ｋ３のみを手動で所定角度回転させることにより、スプロケットＥの歯の回転方向の位置を調整し、調整した後、長尺筒状部材Ｋ４に出力側ギア部Ｋ３をネジＮにより一体に固定することにより行われていた。
【００１３】
【発明が解決しようとする課題】
しかしながら、以上のフィルム処理装置では、駆動ギア機構Ｋの回転調整は、入力側ギア部Ｋ２を有する長尺筒状部材Ｋ４に対して出力側ギア部Ｋ３を回転させることにより行うため、ネジＮを緩める作業など調整作業が非常に困難であり、しかも、駆動ギア機構Ｋが配設されている箇所はスペースが狭いのでさらに作業が行い難い。
【００１４】
また、従来の駆動ギア機構Ｋは、スプロケットＥのタイミング調整のために、支持軸Ｋ１、長尺筒状部材Ｋ４、出力側ギア部Ｋ３、筒状金属部材Ｋ５、これらを固定するためのネジＮといった複数の部材で構成されているため、コストが高くなる問題もある。
【００１５】
本発明は以上の実情に鑑みて開発したものであって、目的とするところは、簡単な構成で、しかも、簡単な作業で、スプロケットの回転調整が行えるフィルム処理装置を提供することにある。
【００１６】
【課題を解決するための手段】
以上の目的を達成するために、請求項１に記載の発明は、装置本体に、搬送手段で搬送されるフィルムを現像処理する現像処理部と、現像処理部の下流側に隣接し、フィルムを乾燥する乾燥処理部とを備え、搬送手段はスプロケットを複数備える一方、フィルム側に、スプロケットの歯に噛み合う複数の送り孔を有する送り機構を設けて、送り機構を介してフィルムを搬送手段で搬送しながら現像および乾燥処理を行うようにしたフィルム処理装置であって、搬送手段は、スプロケットを駆動させる複数の駆動ギア機構と、各駆動ギア機構に噛み合い、かつ、１本のシャフトに同期回転可能に取り付けられる複数のウォームギアとを有し、ウォームギアをシャフトに対し軸方向に移動可能に取り付けるとともに、所定の隣合うウォームギアの間の距離を調整する距離調整手段を設けて、ウォームギアの間の距離を調整して駆動ギア機構の回転に伴うスプロケットの歯の回転タイミングを調整する回転タイミング調整機構を構成していることを特徴とする。
【００１７】
請求項２に記載の発明は、請求項１に記載のフィルム処理装置において、回転タイミング調整機構の距離調整手段は、シャフトにおける距離調整を行うウォームギアの間に軸方向移動可能に嵌合され、軸方向に所定長さを有する筒状スペーサー部と、スペーサー部の外面に形成されるネジ山部に螺合されるナットを備えている構成とした。
【００１８】
請求項３に記載の発明は、請求項１または請求項２に記載のフィルム処理装置において、搬送手段の駆動ギア機構が、現像処理部に設けるスプロケットを駆動させる現像処理部用駆動ギア機構と、乾燥処理部に設けるスプロケットを駆動させる乾燥処理部用駆動ギア機構とから構成され、回転タイミング調整機構は、現像処理部用駆動ギア機構に噛み合う現像処理部側ウォームギアと、乾燥処理部用駆動ギア機構と噛み合う乾燥処理部側ウォームギアとの間の距離を調整して乾燥処理部用駆動ギア機構の回転に伴うスプロケットの歯の回転タイミングを調整するようにしている構成とした。
【００１９】
請求項４に記載の発明は、請求項１から請求項３の何れかに記載のフィルム処理装置において、送り機構を、フィルムの長さ方向先端部が取り付けられるフィルムリーダーにより構成した。
【００２０】
【発明の実施の形態】
図１は本発明にかかるフィルム処理装置の一例であるフィルム自動現像機を示したものであって、このフィルム自動現像機を構成する装置本体のハウジング１内には、現像処理室１１と、この現像処理室１１の下流側に隣接する乾燥処理室１２と、現像処理室１１の上流側に隣接するフィルム装填室１３とが設けられている。
【００２１】
フィルム装填室１３には、写真感光材料としてのフィルム２を装填するフィルム装填部３が搭載され、現像処理室１１には、フィルム装填部３から繰り出されるフィルム２を現像処理するための現像処理部４が搭載され、更に乾燥処理室１２には、現像処理部４で現像処理されたフィルム２を乾燥処理するための乾燥処理部５が搭載されている。
【００２２】
またハウジング１の上方には、乾燥処理部５で乾燥したフィルム２を一時的に保存するためのフィルム保存部６を設けている。
【００２３】
フィルム装填部３には、搬送ローラー３ａと、パトローネＰから引き出したフィルム２の後端を切断するフィルムカッター３ｂと、フィルムカッター３ｂの一方の刃をスライド移動させるフィルム切断用ソレノイド３ｃと、フィルム２を搬送ローラー３ａに圧接するための圧接ローラー３ｄと、圧接ローラー３ｄを上下に移動させて、フィルム２を搬送ローラー３ａに圧接する状態と圧接を開放する状態とに切換える圧接ソレノイド３ｅとが備えられており、パトローネＰから引き出されたフィルム２は、搬送ローラー３ａと圧接ローラー３ｄとに挟持された状態で搬送されて、現像処理部４に送り込まれるようにしている。
【００２４】
なお、フィルム２は、図２に示すように、フィルム装填部３に装填される前に、送り機構となる平板状のフィルムリーダー２１にフィルム２の先端を取り付けておき、フィルムリーダー２１にフィルム２を取り付けた状態で、フィルム２をフィルム装填部３に装着するようになっている。
【００２５】
フィルムリーダー２１には、２本のフィルム２が取り付けられるようになっており、２本のフィルム２の間の中央部には、等間隔で同一線上に多数の送り孔２１ａが形成されている。
【００２６】
これら送り孔２１ａは、ハウジング１内に配設される搬送手段のスプロケット７１の歯に噛み合うようになっており、スプロケット７１の歯にフィルムリーダー２１の送り孔２１ａを噛み合わせて、スプロケット７１を回転駆動させることにより、フィルムリーダー２１とともにフィルム２が現像処理部４から乾燥処理部５へと搬送される。
【００２７】
現像処理部４には、現像，漂白，定着等の処理を順次行なうため、現像液、漂白液、定着液、安定液などの各種処理液が各別に充填された複数の処理液槽４０と、これら各処理液槽４０内にセットされるフィルム２を搬送するための処理液側搬送ラック４１とが備えられている。各処理液側搬送ラック４１は、フィルムリーダー２１搬送用の複数のスプロケット７１を備えている。
【００２８】
また現像処理部４のフィルム搬送径路下流側に位置する乾燥処理部５には、図１に示すように、ヒータで加熱した空気をフィルム搬送径路に向けて熱風として送る送風ファン５０と、フィルム２を乾燥しながら搬送するための乾燥側搬送ラック５１とが備えられており、フィルム２は、乾燥処理部５内において搬送されながら送風ファン５０から吹き出される熱風により乾燥されて、フィルム保存部６に搬出されるようにしている。乾燥側搬送ラック５１も、フィルムリーダー２１搬送用の複数のスプロケット７１を備えている。
【００２９】
なお、現像処理室１１と乾燥処理室１２との間には、スクイズローラーユニット７５が配設されている。
【００３０】
以上の構成からなるフィルム現像処理機において、フィルム２を搬送するための搬送手段７は、図４に示すように、スプロケット７１を駆動させる駆動ギア機構７２を複数備えるとともに、各駆動ギア機構７２を１本のシャフト７３に取り付けられる複数のウォームギア７４で駆動させるようにしている。
【００３１】
駆動ギア機構７２は、処理液側搬送ラック４１のスプロケット７１を駆動させるための現像処理部用駆動ギア機構７２ａと、乾燥側搬送ラック５１のスプロケット７１を駆動させるための乾燥処理部用駆動ギア機構７２ｂとから構成されている。
【００３２】
現像処理部用駆動ギア機構７２ａは、ハウジング１に固定される金属製の支持軸７２１ａと、支持軸７２１ａに遊嵌され、シャフト７３のウォームギア７４に噛み合う入力側ギア部７２２ａ及び処理液側搬送ラック４１のスプロケット７１を回転させるための伝達ギアに噛み合う出力側ギア部７２３ａとを備えており、支持軸７２１ａに対し入力側ギア部７２２ａ及び出力側ギア部７２３ａをフリー回転可能としている。
【００３３】
また、乾燥処理部用駆動ギア機構７２ｂは、図４に示すように、軸方向に所定長さを有し、乾燥側搬送ラック５１のケース５２に支持される固定軸５３に回転自由に支持されており、軸方向の一端側にシャフト７３の乾燥処理部側ウォームギア７４ｂに噛み合う入力側ギア部７２２ｂを、そして他端側に乾燥側搬送ラック５１の各スプロケット７１を回転させるための伝達ギア７６に噛み合う出力側ギア部７２３ｂをそれぞれ備えている。
【００３４】
シャフト７３は、現像処理部４から乾燥処理部５に至るようにハウジング１内に配設されており、乾燥処理室１２側の一端にシャフト７３を回転させるためのハンドル７３ａが設けられている。
【００３５】
また、ウォームギア７４は、現像処理部用駆動ギア機構７２ａに噛み合う現像処理部側ウォームギア７４ａと、乾燥処理部用駆動ギア機構７２ｂと噛み合う乾燥処理部側ウォームギア７４ｂとから構成されている。
【００３６】
さらに、現像処理部側ウォームギア７４ａおよび乾燥処理部側ウォームギア７４ｂは、シャフト７３に、軸方向に移動可能で、かつ、シャフト７３と共回りできるように筒状に形成されている。そして、図示していないが、シャフト７３の外周の一部に軸方向に延びる凸部を形成するとともに、筒状の現像処理部側ウォームギア７４ａおよび乾燥処理部側ウォームギア７４ｂに、シャフト７３の凸部に嵌められる凹部を形成して、凸部と凹部の嵌合により現像処理部側ウォームギア７４ａおよび乾燥処理部側ウォームギア７４ｂが、シャフト７３に対して軸方向に移動可能でありながら、シャフト７３の回転とともに同期回転するようにシャフト７３に取付けられている。
【００３７】
さらに、搬送手段７は、所定の隣合うウォームギアの間の距離、本実施形態では、現像処理部側ウォームギア７４ａと乾燥処理部側ウォームギア７４ｂとの間の距離を調整する距離調整手段８を備え、この距離調整手段８による現像処理部側ウォームギア７４ａと乾燥処理部側ウォームギア７４ｂとの間の距離の調整で、乾燥処理部用駆動ギア機構７２ｂの回転に伴うスプロケット７１の歯の回転タイミングを調整する回転タイミング調整機構を構成している。
【００３８】
具体的には、回転タイミング調整機構の距離調整手段８は、図４および図５に示すように、シャフト７３に取り付けられた隣り合う現像処理部側ウォームギア７４ａと乾燥処理部側ウォームギア７４ｂとの間に、シャフト７３に対して軸方向移動可能に嵌合され、かつ、軸方向に所定長さを有する筒状のスペーサー部８１と、スペーサー部８１の外面に形成されるネジ山部８１ａと、このネジ山部８１ａに螺合される２つのナット８２ａ，８２ｂとから構成されている。
【００３９】
スペーサー部８１は、合成樹脂により成形されており、スペーサー部８１に形成されるネジ山部８１ａは、スペーサー部８１の外周面における軸方向長さの約半分にわたって形成され、このネジ山部８１ａに２つのナット８２ａ，８２ｂを螺合している。
【００４０】
そして、ネジ山部８１ａに螺合される２つのナット８２ａ，８２ｂのうち、スペーサー部８１の軸端側に設けるナット８２ａを、ネジ山部８１ａにおいて移動させて、このナット８２ａのスペーサー部８１の軸方向端部から軸方向外方に向けて突出される突出量を変更させることにより、スペーサー部８１の軸方向長さとナット８２ａの突出量により得られる実質的な距離調整手段８としての調整長さを設定することができる。
【００４１】
なお、スペーサー部８１のネジ山部８１ａに螺合されている図５においてスペーサー部８１の軸方向中央部側のナット８２ｂは、端部側のナット８２ａに圧接させるように締め込むのであって、このナット８２ｂの圧接により、ネジ山部８１ａにおけるナット８２ａの位置をロックするようにしている。
【００４２】
また、ナット８２ａ，８２ｂのネジ山部８１ａでの位置を調整する場合には、二つのナット８２ａ，８２ｂが圧接しないようにナット８２ｂをナット８２ａから離してロックを解除しておいて、ナット８２ａのスペーサー部８１に対する軸方向位置を調整する。
【００４３】
ナット８２ａのスペーサー部８１に対する位置が変更されると、ナット８２ａとスペーサー部８１により得られる距離調整手段８の軸方向長さが変ることから、現像処理部側ウォームギア７４ａと乾燥処理部側ウォームギア７４ｂとの間の距離が変更される。
【００４４】
そして、距離調整手段８の距離を長くした場合には、乾燥処理部側ウォームギア７４ｂが図４に示すハンドル７３ａ側に押されて、現像処理部側ウォームギア７４ａと乾燥処理部側ウォームギア７４ｂとの間の変更後の距離が変更前よりも長くなり、また、距離調整手段８の距離を短くした場合は、乾燥処理部側ウォームギア７４ｂを図４に示す現像処理部４側に手で押して変更後の距離が変更前よりも短くなる。
【００４５】
さらに、距離調整手段８により、現像処理部側ウォームギア７４ａと乾燥処理部側ウォームギア７４ｂとの間の距離が変更されるとき、乾燥処理部側ウォームギア７４ｂには、乾燥処理部用駆動ギア機構７２ｂが噛合っていることから、乾燥処理部側ウォームギア７４ｂが軸方向に移動すると、乾燥処理部側ウォームギア７４ｂの歯の位置が軸方向に移動することになるので、その移動に伴って乾燥処理部用駆動ギア機構７２ｂが回転する。この乾燥処理部用駆動ギア機構７２ｂの回転により乾燥側搬送ラック５１のスプロケット７１も回転することとなり、スプロケット７１の歯が動くこととなる。
【００４６】
以上の構成において、フィルム処理装置の組み立て後や、メンテナンス後に、現像処理部４からスクイズローラーユニット７５を介して乾燥処理部５にフィルムリーダー２１が移る際に、乾燥側搬送ラック５１のスプロケット７１の歯にフィルムリーダー２１の送り孔２１ａが噛み合わない場合が生じたときは、乾燥側搬送ラック５１のスプロケット７１の歯の回転タイミングを合わす調整を行う。
【００４７】
この回転タイミング調整は、フィルムの現像処理を行う前に、現像処理部４の最上流の処理液側搬送ラック４１にフィルムリーダー２１をセットし、シャフト７３のハンドル７３ａを回転させながら、手動でフィルムリーダー２１をスクイズローラーユニット７５まで搬送し、さらに、フィルムリーダー２１の最上流側の送り孔２１ａがスクイズローラーユニット７５の出口近くに設ける乾燥側搬送ラック５１の最上流に位置するスプロケット７１の歯に噛み合う位置まで手動で搬送する。
【００４８】
そして、フィルムリーダー２１の送り孔２１ａがスプロケット７１の歯に噛み合うようにするため、距離調整手段８の２つのナット８２ａ，８２ｂのスペーサー部８１に対する軸方向位置を変更して、スペーサー部８１とナット８２ａによって得られる実際の距離調整手段８の軸方向長さをフィルムリーダー２１の送り孔２１ａがスプロケット７１の歯に噛み合う位置となるように設定する。
【００４９】
即ち、ナット８２ａのネジ山部８１ａでの位置を調整することにより現像処理部側ウォームギア７４ａと乾燥処理部側ウォームギア７４ｂとの間の距離が変わり、現像処理部側ウォームギア７４ａに対して乾燥処理部側ウォームギア７４ｂが軸方向に移動することとなり、乾燥処理部側ウォームギア７４ｂの軸方向への移動に伴い乾燥処理部用駆動ギア機構７２ｂが回転し、乾燥側搬送ラック５１のスプロケット７１全体が少量の角度だけ回転する。
【００５０】
そして、スプロケット７１の歯がフィルムリーダー２１の送り孔２１ａに噛み合うまで、ナット８２ａのスペーサー部８１に対する位置を調整して各スプロケット７１の歯を動かす。
【００５１】
以上のように、本実施の形態によれば、距離調整手段８のナット８２ａのスペーサー部８１に対する位置を調整して、現像処理部側ウォームギア７４ａと乾燥処理部側ウォームギア７４ｂとの間の距離を変更させて、乾燥処理部側ウォームギア７４ｂをシャフト７３に対して軸方向に移動させることにより、乾燥処理部用駆動ギア機構７２ｂも回転させてスプロケット７１を回転させるようにして、スプロケット７１の回転タイミング調整機構を構成したので、シャフト７３に設けるスペーサー部８１に螺合するナット８２ａ，８２ｂの位置を調整するという簡単な作業でスプロケット７１の歯の回転タイミングを調整することができる。
【００５２】
また、本実施の形態では、部品点数は、シャフト７３に取り付けられるスペーサー部８１とナット８２ａ，８２ｂのみが増えるだけであり、それぞれの部品コストも高くなく、しかも、乾燥処理部用駆動ギア機構７２ｂは、従来のような複雑な構造で高強度の高価な部材で構成する必要がないので、乾燥処理部用駆動ギア機構７２ｂの部品コストも低廉化でき、全体としての部品コストの低廉化が図れる。とくに、スペーサー部８１は、合成樹脂により成形でき、ナット８２ａ，８２ｂは汎用の物を使用できるので部品コストを安くできる。
【００５３】
また、本実施の形態では、送り機構としてフィルムリーダー２１を使用しているので、スプロケット７１の歯への噛合わせを簡単に行える。
【００５４】
なお、本実施形態では、フィルムをフィルムリーダーに取り付けて搬送するようにしたが、フィルムに等間隔に形成される多数のパーフォレーション（孔）を送り孔として、パーフォレーションにスプロケットの歯を噛合わせてフィルムを搬送する構成にも本発明を適用できる。
【００５５】
また、前記した実施形態では、乾燥処理部用駆動ギア機構と噛み合う乾燥処理部側ウォームギアとの間の距離を調整して乾燥処理部用駆動ギア機構の回転に伴うスプロケットの歯の回転タイミングを調整するようにして、現像処理部と乾燥処理部との間のスプロケットの歯の回転タイミング調整を行うようにしたが、現像処理部の処理液側搬送ラック間のスプロケットの歯の回転タイミングを調整するために本発明を適用することもできる。
【００５６】
【発明の効果】
以上のごとく請求項１記載の発明によれば、搬送手段が、スプロケットを駆動させる複数の駆動ギア機構と、各駆動ギア機構に噛み合い、かつ、１本のシャフトに同期回転可能に取り付けられる複数のウォームギアとを有し、ウォームギアをシャフトに対し軸方向に移動可能に取り付けるとともに、所定の隣合うウォームギアの間の距離を調整する距離調整手段を設けて、ウォームギアの間の距離を調整して駆動ギア機構の回転に伴うスプロケットの歯の回転タイミングを調整する回転タイミング調整機構を構成するようにしたから、距離調整手段によりウォームギアの間の距離を調整する簡単な作業でスプロケットの歯の回転タイミングを調整することができる。
【００５７】
請求項２に記載の発明は、請求項１に記載のフィルム処理装置において、回転タイミング調整機構の距離調整手段は、シャフトにおける距離調整を行うウォームギアの間に軸方向移動可能に嵌合され、軸方向に所定長さを有する筒状スペーサー部と、スペーサー部の外面に形成されるネジ山部に螺合されるナットを備えている構成としたから、スペーサー部とナットという簡単な構成で、シャフトに設けるスペーサー部に螺合するナットの位置を調整するという簡単な作業でスプロケットの歯の回転タイミングを調整することができる。
【００５８】
請求項３に記載の発明は、請求項１または請求項２に記載のフィルム処理装置において、搬送手段の駆動ギア機構が、現像処理部に設けるスプロケットを駆動させる現像処理部用駆動ギア機構と、乾燥処理部に設けるスプロケットを駆動させる乾燥処理部用駆動ギア機構とから構成され、回転タイミング調整機構は、現像処理部用駆動ギア機構に噛み合う現像処理部側ウォームギアと、乾燥処理部用駆動ギア機構と噛み合う乾燥処理部側ウォームギアとの間の距離を調整して乾燥処理部用駆動ギア機構の回転に伴うスプロケットの歯の回転タイミングを調整するようにしている構成としたから、スプロケットの歯の回転タイミングがズレやすい乾燥処理部用駆動ギア機構の回転に伴うスプロケットの歯の回転タイミングを簡単に調整できる。
【００５９】
請求項４に記載の発明は、請求項１から請求項３の何れかに記載のフィルム処理装置において、送り機構を、フィルムの長さ方向先端部が取り付けられるフィルムリーダーにより構成したから、スプロケットの歯と送り孔との位置合わせが行いやすい。
【図面の簡単な説明】
【図１】フィルム現像処理機を正面からみた概略説明図。
【図２】フィルムをフィルムリーダーに取付けた状態を示す説明図。
【図３】乾燥側搬送ラックの部分断面図。
【図４】シャフトとウォームギアと駆動ギア機構の組付け状態を示す部分上面図。
【図５】スペーサー部のネジ山部にナット螺合した状態を示す断面図。
【図６】従来のフィルム現像処理機を正面からみた概略説明図。
【図７】従来のシャフトとウォームギアと駆動ギア機構の組付け状態を示す部分断面図。
【符号の説明】
２      フィルム
２１    フィルムリーダー（送り機構）
２１ａ  送り孔
４      現像処理部
５      乾燥処理部
７      搬送手段
７１    スプロケット
７２    駆動ギア機構
７２ａ  現像処理部用駆動ギア機構
７２ｂ  乾燥処理部用駆動ギア機構
７３    シャフト
７４    ウォームギア
７４ａ  現像処理部側ウォームギア
７４ｂ  乾燥処理部側ウォームギア
８      距離調整手段
８１    スペーサー部
８１ａ  ネジ山部
８２ａ，８２ｂ  ナット
【図１】
0003591488.tif 000002
【図２】
0003591488.tif 000003
【図３】
0003591488.tif 000004
【図４】
0003591488.tif 000005
【図５】
0003591488.tif 000006
【図６】
0003591488.tif 000007
【図７】
0003591488.tif 000008